(57)【要約】【課題】  排水栓において密着性を確保しつつ、汚れの付着を軽減する。【解決手段】  排水栓１００において、蓋体１０１を支持する蓋支持部１１０の外周にゴム製のパッキン１２０をはめ込んだ構造とする。パッキン１２０は、その端部１２１、１２２を溝１１１、１１２に挿入するようにして、取り付けられる。また、パッキン１２０と蓋支持部１１０との間には空隙１３０が形成されている。  こうすることにより、排水栓１００を閉じた時、パッキン１２０の一部が排水口金具１０に当たる（領域Ａ３）。このとき、パッキン１２０は空隙１３０に凹むように変形するため、パッキン１２０を排水口金具１０に密着させることができ、水の流出をとめることができる。また、パッキン１２０と蓋支持部１１０との接合部分Ａ１、Ａ２が平坦であるため、これらの部位に汚れが付着することも抑制できる。【選択図】  図１
2014227664.tif 000002
【特許請求の範囲】
【請求項１】
排水口を塞ぐ排水栓であって、
前記排水口の開口部を覆う蓋体と、該蓋体の裏面に形成された蓋支持部とを備える排水栓本体と、
前記蓋支持部の外周に取り付けられたパッキンとを有し、
前記蓋支持部とパッキンとの間には、該パッキンが前記排水口に押しつけられる部位の内面側に、空隙が形成されている
排水栓。
【請求項２】
請求項１記載の排水栓であって、
前記蓋支持部には、前記パッキンの外周面が前記蓋体に近い側の端部で、該蓋支持部の外周面との間に段差を形成しないよう、該端部の形状に応じた凹部が形成されている
排水栓。
【請求項３】
請求項２記載の排水栓であって、さらに、
前記蓋支持部には、前記パッキンの外周面が前記蓋体に遠い側の端部においても、該蓋支持部の外周面との間に段差を形成しないよう、該端部の形状に応じた凹部が形成されている
排水栓。
【請求項４】
請求項１〜３いずれか記載の排水栓であって、
前記蓋支持部には、前記パッキンの端部を取り付ける部位に、該端部の形状に適合した段差または溝が形成されており、
前記パッキンの端部は、前記段差または溝に、ほぼ隙間なくはめこまれている
排水栓。
【請求項５】
請求項１〜４いずれか記載の排水栓であって、
前記パッキンは、前記排水口に押しつけられる部位において、外周側に凸の曲面部分を有し、該曲面部分の裏面側に前記空隙が形成されている
排水栓。
【発明の詳細な説明】
【技術分野】
【０００１】
本発明は、排水口を塞ぐ排水栓の構造に関する。
【背景技術】
【０００２】
浴槽やシンクの排水口などは、排水栓で閉じられる。排水栓は、金属、樹脂などで形成されており、排水口との間の密着性を確保するため、ゴム製のパッキンが取り付けられるのが通常である。
特許文献１は、排水栓の構造例を示している。同文献の図３には、排水栓の外周方向に張り出す形のパッキンがはめ込まれた状態が示されている。
【先行技術文献】
【特許文献】
【０００３】
【特許文献１】特開２０１３−４４１２３号公報
【発明の概要】
【発明が解決しようとする課題】
【０００４】
しかし、このように外周方向に張り出したパッキンを用いると、排水栓の本体との取付部分、つまりパッキンの根元部分に凹凸が生じ、汚れが付着しやすくなるなどの弊害が生じる。一方、パッキンの張り出しを無くしてしまうと、排水栓の密着を十分に確保することが困難となる。
本発明は、かかる課題を考慮し、汚れの付着を抑制し、密着性を確保可能な排水栓を提供することを目的とする。
【課題を解決するための手段】
【０００５】
本発明は、
排水口を塞ぐ排水栓であって、
前記排水口の開口部を覆う蓋体と、該蓋体の裏面に形成された蓋支持部とを備える排水栓本体と、
前記蓋支持部の外周に取り付けられたパッキンとを有し、
前記蓋支持部とパッキンとの間には、該パッキンが前記排水口に押しつけられる部位の内面側に、空隙が形成されている
排水栓と構成することができる。
【０００６】
本発明の排水栓によれば、蓋支持部とパッキンとの間に空隙によって、パッキンの変形を確保することができ、排水栓と排水口との間の密着性を確保しやすくなる。従って、密着性を確保するための張り出しを抑えることが可能となり、パッキン自体の凹凸や、パッキンと蓋支持部との間の凹凸を抑制した形状を実現できる。この結果、密着性を確保しつつ、排水栓の汚れを抑制することができる。
【０００７】
本発明において、蓋体と蓋支持部とは、一体的に形成されていてもよいし、別体であってもよい。
空隙の位置、形状は種々の選択が可能である。パッキンを変形させやすくするためには、排水栓を排水口にはめた場合に、排水口から排水栓にかかる荷重が通過する位置に空隙を設けることが好ましい。
【０００８】
本発明において、
前記蓋支持部には、前記パッキンの外周面が前記蓋体に近い側の端部で、該蓋支持部の外周面との間に段差を形成しないよう、該端部の形状に応じた凹部が形成されているものとしてもよい。
こうすることにより、パッキンと蓋支持部との間での段差を無くすことができ、かかる部位への汚れの付着を軽減することができる。また、こうした段差を無くすことによって、排水の流れを円滑にすることができる利点もある。
上述の凹部は、必ずしもパッキンの端部の形状に適合した溝である必要はなく、端部を十分に収容できるだけの形状を有するものであればよい。
【０００９】
蓋支持部には、上述の態様に加えて、さらに蓋体に遠い側の端部においても、段差を形成しないように凹部を形成してもよい。
こうすることにより、汚れの付着をさらに軽減できる。
【００１０】
本発明においては、
前記蓋支持部には、前記パッキンの端部を取り付ける部位に、該端部の形状に適合した段差または溝が形成されており、
前記パッキンの端部は、前記段差または溝に、ほぼ隙間なくはめこまれているものとしてもよい。
こうすることにより、排水栓で排水口を閉じた場合に、パッキンの変形によって端部が移動しない程度に、パッキンの端部を蓋支持部に固定することができる。従って、排水栓の排水口への密着性を向上させることができる。端部は、パッキンの両端を固定してもよいし、一方のみを固定してもよい。
【００１１】
本発明においては、
前記パッキンは、前記排水口に押しつけられる部位において、外周側に凸の曲面部分を有し、該曲面部分の裏面側に前記空隙が形成されているものとしてもよい。
パッキンの形状によって空隙を形作ることができるため、比較的容易に空隙を確保することができる利点がある。
【００１２】
本発明において、上述の種々の特徴は、必ずしも全てを備えている必要はない。その一部を省略等したり、適宜、組合せたりして構成することも可能である。
【図面の簡単な説明】
【００１３】
【図１】実施例１における排水栓の構造を示す説明図である。
【図２】実施例２における排水栓の構造を示す説明図である。
【図３】実施例３における排水栓の構造を示す説明図である。
【図４】実施例４における排水栓の構造を示す説明図である。
【図５】実施例５における排水栓の構造を示す説明図である。
【図６】実施例６における排水栓の構造を示す説明図である。
【発明を実施するための形態】
【実施例１】
【００１４】
図１は、実施例１における排水栓の構造を示す説明図である。排水栓１００は、浴槽などの排水口を閉じ、水の排水をとめる役割を果たす。排水口には、筒状の排水口金具１０が取り付けられている。
排水栓１００は、排水口に手ではめるものとしてもよいが、本実施例では、開閉機構によって閉じられる例を示した。図には、開閉機構も一部示した。先に説明した排水口金具１０の内部には、開閉機構を保持するための支持部材２０が取り付けられている。支持部材２０の中心付近には円筒形の空間が形成されており、支持部材２０をガイドとして、この空間内を上下動する栓軸３０が挿入されている。栓軸３０の下方には、栓軸３０を上下動させるための駆動部が配置される。排水栓１００は、栓軸３０の頂部に取り付けられており、駆動部の動作に応じて上下動し、排水口を開閉することができる。
【００１５】
排水栓１００は、上に凸曲面の円盤状の蓋体１０１と、この蓋体１０１を支持する蓋支持部１１０、蓋体１０１にかぶせられる金属製のカバー１０２、蓋支持部１１０の外周にはめ込まれるゴム製やエラストマ等軟質素材製のパッキン１２０で構成される。蓋体１０１と蓋支持部１１０は、一体的に成形されているが、別体としてもよい。蓋支持部１１０の中央は、先に説明した栓軸３０の頂部に固定されている。
パッキン１２０は、図示する断面形状を有する円環状の部材である。パッキン１２０の上側の端部１２１がはまる部分には、蓋支持部１１０側に、端部１２１の形状に合わせて凹部としての溝１１１が形成されている。また、下側の端部１２２がはまる部分にも、蓋支持部１１０側に、端部１２２の形状に合わせた溝１１２が形成されている。パッキン１２０は、端部１２１、１２２をこれらの溝１１１、１１２に挿入するようにして、取り付けられる。溝１１１、１１２は、パッキン１２０を取り付けたときに、その外周面の接合部分Ａ１、Ａ２が平坦になるよう、位置および形状が決められている。
蓋支持部１１０の外形は、取り付けられるパッキン１２０の内面の形状よりも削った状態となっている。従って、パッキン１２０を取り付けたとき、パッキン１２０と蓋支持部１１０との間には空隙１３０が形成される。
かかる構造の排水栓１００を閉じると、図中の領域Ａ３のように、パッキン１２０の一部が、排水口金具１０に当たる。パッキン１２０と蓋支持部１１０との間には空隙１３０が形成されているため、排水口金具１０からの押圧力によってパッキン１２０は空隙１３０に凹むように変形することができる。この結果、パッキン１２０を排水口金具１０に密着させることができ、水の流出をとめることができる。また、パッキン１２０の端部１２１、１２２が、溝１１１、１１２に挿入されているため、パッキン１２０が変形しても、これらの端部１２１、１２２が容易に移動しない程度に保持されている。従って、パッキン１２０の変形に伴って、パッキン１２０と蓋支持部１１０との間に新たな隙間が生じて漏水するなどの弊害を抑制することができる。そして、パッキン１２０と蓋支持部１１０との接合部分Ａ１、Ａ２が平坦であるため、これらの部位に汚れが付着することも抑制できる。
【実施例２】
【００１６】
図２は、実施例２における排水栓の構造を示す説明図である。排水口および排水栓の開閉機構の構造は実施例１と同一である。
排水栓２００は、上に凸曲面の円盤状の蓋体２０１と、この蓋体２０１を支持する蓋支持部２１０、蓋体２０１にかぶせられる金属製のカバー２０２、蓋支持部２１０の外周にはめ込まれるゴム製やエラストマ等軟質素材製のパッキン２２０で構成される。蓋体２０１と蓋支持部２１０は、一体的に成形されているが、別体としてもよい。蓋支持部２１０の中央は、先に説明した栓軸３０の頂部に固定されている。
パッキン２２０は、図示する断面形状を有する円環状の部材である。パッキン２２０の上側の端部２２１がはまる部分には、蓋支持部２１０側に、端部２２１の形状に合わせた段差２１１が形成されている。また、下側の端部２２２がはまる部分には、蓋支持部２１０側に溝２１２が形成されている。溝２１２高さ方向の間隔は、端部２２２よりも大きい。パッキン２２０は、端部２２１を段差２１１に押しつけ、端部２２２を溝２１２の下面に押しつけるようにして、取り付けられる。段差２１１は、パッキン２２０を取り付けたときに、その外周面の接合部分Ｂ１が平坦になるよう、位置および形状が決められている。
蓋支持部２１０の外形は、取り付けられるパッキン２２０の内面の形状よりも削った状態となっている。従って、パッキン２２０を取り付けたとき、パッキン２２０と蓋支持部２１０との間には空隙２３０が形成される。
かかる構造の排水栓２００を閉じると、図中の領域Ｂ３のように、パッキン２２０の一部が、排水口金具１０に当たる。パッキン２２０と蓋支持部２１０との間には空隙２３０が形成されているため、排水口金具１０からの押圧力によってパッキン２２０は空隙２３０に凹むように変形することができる。この結果、パッキン２２０を排水口金具１０に密着させることができ、水の流出をとめることができる。また、パッキン２２０の端部２２１、２２２が、段差２１１および溝２１２によって、ある程度固定されているため、パッキン２２０が変形しても、パッキン２２０と蓋支持部２１０との間に新たな隙間が生じて漏水するなどの弊害を抑制することができる。そして、パッキン２２０と蓋支持部２１０との接合部分Ｂ１が平坦であるため、この部位に汚れが付着することも抑制できる。この実施例において、他方の接合部分Ｂ２は、平坦とはなっていないが、この部分は、接合部分Ｂ１に比べて排水に触れる機会が少ないため、かかる形状であっても汚れの付着による弊害は小さい。
【実施例３】
【００１７】
図３は、実施例３における排水栓の構造を示す説明図である。排水口および排水栓の開閉機構の構造は実施例１と同一である。
排水栓３００は、上に凸曲面の円盤状の蓋体３０１と、この蓋体３０１を支持する蓋支持部３１０、蓋体３０１にかぶせられる金属製のカバー３０２、蓋支持部３１０の外周にはめ込まれるゴム製やエラストマ等軟質素材製のパッキン３２０で構成される。蓋体３０１と蓋支持部３１０は、一体的に成形されているが、別体としてもよい。蓋支持部３１０の中央は、先に説明した栓軸３０の頂部に固定されている。
パッキン３２０は、図示する断面形状を有する円環状の部材である。パッキン３２０がはまる部分には、蓋支持部３１０側に、溝３１２が形成されている。パッキン３２０は、端部３２１を溝３１２の上面に押しつけ、端部３２２を溝３１２の下面に押しつけるようにして、取り付けられる。パッキン３２０の端部３２１、３２２は、取り付けたときに、その外周面の接合部分Ｃ１、Ｃ２が平坦になるよう、形状が決められている。
溝３１２の高さ方向の間隔は、パッキン３２０の端部３２２の厚さよりも大きい。従って、パッキン３２０を取り付けたとき、パッキン３２０と蓋支持部３１０との間には空隙３３０が形成される。
かかる構造の排水栓３００を閉じると、図中の領域Ｃ３のように、パッキン３２０の一部が、排水口金具１０に当たる。パッキン３２０と蓋支持部３１０との間には空隙３３０が形成されているため、排水口金具１０からの押圧力によってパッキン３２０は空隙３３０に凹むように変形することができる。この結果、パッキン３２０を排水口金具１０に密着させることができ、水の流出をとめることができる。また、パッキン３２０の端部３２２は、溝３１２によって、ある程度固定されているため、パッキン３２０が変形しても、パッキン３２０と蓋支持部３１０との間に新たな隙間が生じて漏水するなどの弊害を抑制することができる。そして、パッキン３２０と蓋支持部３１０との接合部分Ｃ１が平坦であるため、この部位に汚れが付着することも抑制できる。
【実施例４】
【００１８】
図４は、実施例４における排水栓の構造を示す説明図である。排水口および排水栓の開閉機構の構造は実施例１と同一である。
排水栓４００は、上に凸曲面の円盤状の蓋体４０１と、この蓋体４０１を支持する蓋支持部４１０、蓋支持部４１０の外周にはめ込まれるゴム製のパッキン４２０で構成される。蓋体４０１と蓋支持部４１０は、一体的に成形されているが、別体としてもよい。蓋支持部４１０の中央は、先に説明した栓軸３０の頂部に固定されている。
パッキン４２０は、図示する断面形状を有する円環状の部材である。パッキン４２０の上側の端部４２１がはまる部分には、蓋支持部４１０側に、端部４２１の形状に合わせた溝４１１が形成されている。パッキン４２０は、端部４２１を溝４１１に挿入し、端部４２２を蓋支持部４１０に押しつけるようにして、取り付けられる。溝４１１および蓋支持部４１０の下側面は、パッキン４２０を取り付けたときに、その外周面の接合部分Ｄ１、Ｄ２が平坦になるよう、位置および形状が決められている。
蓋支持部４１０の外形は、取り付けられるパッキン４２０の内面の形状よりも削った状態となっている。従って、パッキン４２０を取り付けたとき、パッキン４２０と蓋支持部４１０との間には空隙４３０が形成される。
かかる構造の排水栓４００を閉じると、図中の領域Ｄ３のように、パッキン４２０の一部が、排水口金具１０に当たる。パッキン４２０と蓋支持部４１０との間には空隙４３０が形成されているため、排水口金具１０からの押圧力によってパッキン４２０は空隙４３０に凹むように変形することができる。この結果、パッキン４２０を排水口金具１０に密着させることができ、水の流出をとめることができる。また、パッキン４２０の端部４２１が、溝４１１によって度固定されているため、パッキン４２０が変形しても、パッキン４２０と蓋支持部４１０との間に新たな隙間が生じて漏水するなどの弊害を抑制することができる。そして、パッキン４２０と蓋支持部４１０との接合部分Ｄ１、Ｄ２が平坦であるため、この部位に汚れが付着することも抑制できる。
【実施例５】
【００１９】
図５は、実施例５における排水栓の構造を示す説明図である。図５では、槽体の排水口部１１の端を挟み込むように、筒状の排水口金具１０Ａ、配管１２が取り付けられている。排水口金具１０Ａ、排水管１２の内部には、開閉機構を保持するための支持部材２０Ａが取り付けられている。支持部材２０Ａの中心付近には円筒形の空間が形成されており、この空間内に栓軸３０を上下駆動する機構部４０が挿入されており、栓軸３０の上下動に応じて、排水口を開閉することができる。排水口金具１０Ａおよび支持部材２０Ａの形状が実施例１と異なっていることに特別な意味はなく、実施例１と同様の構成を用いても差し支えない。
【００２０】
排水栓５００は、上に凸曲面の円盤状の蓋体５０１と、この蓋体５０１を支持する蓋支持部５１０、蓋体５０１にかぶせられる金属製のカバー５０２、および蓋支持部５１０の外周にはめ込まれるゴム製のパッキン５２０で構成される。蓋体５０１と蓋支持部５１０は、一体的に成形されているが、別体としてもよい。蓋支持部５１０の中央は、先に説明した栓軸３０の頂部に固定されている。
パッキン５２０は、図示するようにやや外側に凸の曲線状の断面形状を有する円環状の部材である。パッキン５２０の上側の端部５２１がはまる部分には、蓋支持部５１０側に、端部５２１の形状に合わせた溝５１１が形成されている。パッキン５２０は、端部５２１を溝５１１に挿入するようにして、取り付けられる。溝５１１および蓋支持部５１０の下側面は、パッキン５２０を取り付けたときに、その外周面の接合部分Ｅ１、Ｅ２が平坦になるよう、位置および形状が決められている。
蓋支持部５１０の外形は、取り付けられるパッキン５２０の内面の形状よりも削った状態となっている。従って、パッキン５２０を取り付けたとき、パッキン５２０と蓋支持部５１０との間には空隙５３０が形成される。
かかる構造の排水栓５００を閉じると、図中の領域Ｅ３のように、パッキン５２０の一部が、排水口金具１０Ａに当たる。パッキン５２０と蓋支持部５１０との間には空隙５３０が形成されているため、排水口金具１０Ａからの押圧力によってパッキン５２０は空隙５３０に凹むように変形することができる。この結果、パッキン５２０を排水口金具１０に密着させることができ、水の流出をとめることができる。また、パッキン５２０の端部５２１が、溝５１１によって固定されているため、パッキン５２０が変形しても、パッキン５２０と蓋支持部５１０との間に新たな隙間が生じて漏水するなどの弊害を抑制することができる。そして、パッキン５２０と蓋支持部５１０との接合部分Ｅ１、Ｅ２が平坦であるため、この部位に汚れが付着することも抑制できる。
【実施例６】
【００２１】
図６は、実施例６における排水栓の構造を示す説明図である。排水口には筒状の排水口金具１０Ｃが取り付けられている。実施例６では、排水栓６００は、手ではめるタイプとした。実施例１〜５と同様の開閉機構を取り付けることも可能である。
排水栓６００は、凸の曲面状の蓋体６０１と蓋支持部６１０とが一体的に形成されるとともに、蓋支持部６１０の外周には、ゴム製のパッキン６２０がはめ込まれている。蓋体６０１と蓋支持部６１０は、別体としてもよい。
パッキン６２０は、図示する断面形状を有する円環状の部材である。パッキン６２０の上側の端部６２１がはまる部分には、蓋支持部６１０側に、端部６２１の形状に合わせた溝６１１が形成されている。また、下側の端部６２２がはまる部分には、蓋支持部６１０側に段差６１２が形成されている。パッキン６２０は、端部６２１を溝６１１に挿入し、端部６２２を段差６１２に押しつけるようにして、取り付けられる。溝６１１および段差６１２は、パッキン６２０を取り付けたときに、その外周面の接合部分Ｆ１、Ｆ２が平坦になるよう、位置および形状が決められている。
パッキン６２０には、側面の一部に円弧状断面の突部６２３が形成されている。従って、パッキン６２０を取り付けたとき、パッキン６２０と蓋支持部６１０との間には空隙６３０が形成される。
かかる構造の排水栓６００を閉じると、図中の領域Ｆ３のように、パッキン６２０の突部６２３が、排水口金具１０Ｃに当たる。パッキン６２０と蓋支持部６１０との間には空隙６３０が形成されているため、排水口金具１０Ｃからの押圧力によってパッキン６２０は空隙６３０に凹むように変形することができる。この結果、パッキン６２０を排水口金具１０Ｃに密着させることができ、水の流出をとめることができる。また、パッキン６２０の端部６２１、６２２が、溝６１１および段差６１２によって固定されているため、パッキン６２０が変形しても、パッキン６２０と蓋支持部６１０との間に新たな隙間が生じて漏水するなどの弊害を抑制することができる。そして、パッキン６２０と蓋支持部６１０との接合部分Ｆ１、Ｆ２が平坦であるため、この部位に汚れが付着することも抑制できる。
【００２２】
以上、本発明の種々の実施例を示した。以上で説明した実施例における特徴点は、必ずしも全てが備えられている必要はなく、適宜、一部を省略したり、組み合わせたりしてもよい。また、本発明は、上述の実施例に限らず、種々の構成をとることが可能である。
【産業上の利用可能性】
【００２３】
本発明は、排水栓において汚れの付着を抑制し、密着性を確保するために利用可能である。
【符号の説明】
【００２４】
１０、１０Ａ、１０Ｃ…排水口金具
１１…排水口部
１２…排水管
２０、２０Ａ…支持部材
３０…栓軸
４０…機構部
１００、２００、３００、４００、５００、６００…排水栓
１０１、２０１、３０１、４０１、５０１、６０１…蓋体
１０２、２０２、３０２、４０２、５０２…カバー
１１０、２１０、３１０、４１０、５１０Ａ、５１０Ｂ、６１０…蓋支持部
１１１、１１２、２１２、３１２、４１１、５１１、６１１…溝
１２０、２２０、３２０、４２０、５２０、６２０…パッキン
１２１、１２２、２２１、２２２、３２１，３２２、４２１、４２２、５２１、５２２、６２１、６２２…端部
１３０、２３０、３３０、４３０、５３０、６３０…空隙
２１１、６１２…段差
６２３…突部
【図１】
2014227664.tif 000003
【図２】
2014227664.tif 000004
【図３】
2014227664.tif 000005
【図４】
2014227664.tif 000006
【図５】
2014227664.tif 000007
【図６】
2014227664.tif 000008